(57)【要約】【課題】マッサージする身体の部位に応じてローラ間の角度を変化できるようにする。また、ローラ連結部側のローラ間の隙間を大きくする。さらに、持ち運びに便利にする。ローラを目的に応じて交換可能にする。【解決手段】ハンドル２にローラ取付部材４を取り付け、このローラ取付部材４の左右両端部に連結軸１５を介して一対のローラ連結部５を回動自在に軸支し、各ローラ連結部５にはローラ６を回転自在に取り付け、上記連結軸１５はローラ６の回転軸と互いの延長線が交差し、かつローラ取付部材４の移動方向に対し斜めに交差する方向に対称的に配置し、さらに上記ローラ連結部５は２以上の回動位置で固定可能である。【選択図】図１
2011120893.tif 000002
【特許請求の範囲】
【請求項１】
ハンドル（２）にローラ取付部材（４）を取り付け、
このローラ取付部材（４）の左右両端部に連結軸（１５）を介して一対のローラ連結部（５）を回動自在に軸支し、
各ローラ連結部（５）にはローラ（６）を回転自在に取り付け、
上記連結軸（１５）はローラ（６）の回転軸と互いの延長線が交差し、かつローラ取付部材（４）の移動方向に対し斜めに交差する方向に対称的に配置し、
さらに上記ローラ連結部（５）は２以上の回動位置で固定可能であることを特徴とするローラマッサージ器。
【請求項２】
前記一対のローラ（６）が平行になる位置でローラ連結部（５）を固定可能にすると共に、この位置でローラ（６）がハンドル（２）の下方に配置されることを特徴とする請求項１に記載のローラマッサージ器。
【請求項３】
前記ローラ取付部材（４）の中央部に、球状体（７ａ）を下方に向け回転自在に取り付けることを特徴とする請求項１又は２に記載のローラマッサージ器。
【請求項４】
前記一対のローラ連結部（５）にローラ（６）を着脱自在に取り付けることを特徴とする請求項１乃至３のいずれか１項に記載のローラマッサージ器。
【請求項５】
前記ローラマッサージ器（１）を構成する部品を耐錆性の金属またはプラスチックで製造すると共に、
前記ローラ（６）を管状にし、その両端部に取り付けたローラ取付環（２２）を介してローラ連結部（５）に回転自在に取り付けると共に、
ローラ連結部（５）と接触するローラ取付環（２２）を、滑りがよく軸受として使用されているプラスチックにて製造することを特徴とする請求項１乃至４のいずれか１項に記載のローラマッサージ器。
【請求項６】
前記ハンドル（２）を前後方向に長く形成し、このハンドル（２）の先端にローラ取付部材（４）を取り付け、
ローラ取付部材（４）の両端部にそれぞれ穴（９）を形成し、これらの穴（９）に２条の溝（１０ｄ，１０ｅ）を形成した溝付き環状部材（８）をそれぞれ取り付けると共に、
これらの溝（１０ｄ，１０ｅ）のいずれかにローラ連結部（５）の表面に取り付けた突条（１８）を嵌合すると、一対のローラ（６）がハンドル（２）の下方で平行になる位置とハンドル（２）の前方に突出しハ字状となる位置とに固定されることを特徴とする請求項１又は請求項５に記載のローラマッサージ器。
【発明の詳細な説明】
【技術分野】
【０００１】
本発明は、ハンドルに２本のローラを取り付けた手動式のローラマッサージ器に関する。
【背景技術】
【０００２】
従来、遊転する２本のローラをハの字状に取り付け、これを腕や脚などに押し付けながらハンドルを持って前後に動かし、ローラの外周でマッサージする器具が提案されている（特許文献１，２）。
これによれば、1本のローラよりも、腕、足、鼻などの断面が山型の部位を効率よくマッサージできるという利点がある。
しかし、従来のものは、２本のローラの角度が固定のため身体の様々な部位のマッサージに対応しきれないうえ、２本のローラとローラの間の隙間がマッサージできないという問題があった。
【先行技術文献】
【特許文献】
【０００３】
【特許文献１】実用新案登録第３１３０８４８号公報
【特許文献２】特開２００９−１４２５０９号公報
【発明の概要】
【発明が解決しようとする課題】
【０００４】
本発明が解決しようとする課題は、ローラの取り付け角度を可変にして身体の様々な部位のマッサージに対応できるようにすること、２本のローラ間にマッサージ部材を配してマッサージの遣り残しがないようすること、及び、形状の違うローラを複数種類用意して簡単に交換可能にすることにある。
【課題を解決するための手段】
【０００５】
請求項１の発明は、ハンドルにローラ取付部材を取り付け、
このローラ取付部材の左右両端部に連結軸を介して一対のローラ連結部を回動自在に軸支し、
各ローラ連結部にはローラを回転自在に取り付け、
上記連結軸はローラの回転軸と互いの延長線が交差し、かつローラ取付部材の移動方向に対し斜めに交差する方向に対称的に配置し、
さらに上記ローラ連結部は２以上の回動位置で固定可能であることを特徴とする。
この構成により、ローラ取付部材に対し、ローラ連結部を回動させるに伴い、ローラ連結部に取り付けたローラの先端部間の角度が変動する。
請求項２の発明は、前記一対のローラが平行になる位置でローラ取付軸ローラ連結部を固定可能にすると共に、この位置でローラがハンドルの下方に配置されることを特徴とする。
請求項３の発明は、前記ローラ取付部材の中央部に、球状体を下方に向け回転自在に取り付けることを特徴とする。
請求項４の発明は、前記一対のローラ取付軸ローラ連結部にローラを着脱自在に取り付けることを特徴とする。
請求項５の発明は、前記ローラマッサージ器を構成する部品を耐錆性の金属またはプラスチックで製造すると共に、
前記ローラを管状にし、その両端部に取り付けたローラ取付環を介してローラ取付軸ローラ連結部に回転自在に取り付けると共に、
ローラ取付軸ローラ連結部と接触するローラ取付環を、滑りがよく軸受として使用されているプラスチックで製造することを特徴とする。
請求項６の発明は、前記ハンドルを前後方向に長く形成し、このハンドルの先端にローラ取付部材を取り付け、ローラ取付部材の両端部にそれぞれ穴を形成し、これらの穴に２条の溝を形成した溝付き環状部材をそれぞれ取り付けると共に、これらの溝のいずれかにローラ連結部の表面に取り付けた突条を嵌合すると、一対のローラがハンドルの下方で平行になる位置とハンドルの前方に突出しハ字状となる位置とに固定されることを特徴とする。
【発明の効果】
【０００６】
請求項１の発明では、ローラ取付部材の左右両端部に連結軸を介して一対のローラ連結部を回動自在に軸支し、各ローラ連結部にはローラを回転自在に取り付け、上記連結軸はローラの回転軸と互いの延長線が交差し、かつローラ取付部材の移動方向に対し斜めに交差する方向に対称的に配置し、さらに上記ローラ連結部は２以上の回動位置で固定可能である。よって、身体の部位に合わせローラの取り付け角度を適宜変更できる。
請求項２の発明では、一対のローラが平行になる位置でローラ連結部を固定可能にすると共に、この位置でローラがハンドルの下方に配置されるので、コンパクトで持ち運び便利になる。
請求項３の発明では、ローラ取付部材の中央部に、球状体を下方に向け回転自在に取り付けるので、ローラと球状体との間の隙間が２箇所でき、この隙間でつまみ込む運動、押し広げる運動が発生し、広範囲のマッサージができる。２本のローラ間に球状体が配されてマッサージの遣り残しがない。
請求項４の発明では、一対のローラ連結部にローラを着脱自在に取り付けるので、形状の違うローラを複数種類用意して交換できる。
請求項５の発明では、ローラマッサージ器を構成する部品を耐錆性の金属またはプラスチックで製造すると共に、ローラを管状にし、その両端部に取り付けたローラ取付環を介してローラ連結部に回転自在に取り付けると共に、ローラ連結部と接触するローラ取付環を、滑りがよく軸受として使用されているプラスチックで製造するので、錆びる部分がなく、浴槽内などの水に濡れる場所での使用が可能である。
請求項６の発明では、溝の一方が壁となっており、ハンドルを握り皮膚に押圧する方向に力が加わってもローラ連結部の突条がこの壁にぶつかる方向に押圧されるので、隣接の溝に移動しない。よって、適切な方法で使用している際にローラ連結部が別の位置に移動することがなく、安定した状態でマッサージを継続できる。また、ハンドルが前後方向に長いので、一対のローラをハンドルの下方に平行配置するとハンドルとローラとが同じ向きに揃いコンパクトになり、持ち運びに便利である。
【図面の簡単な説明】
【０００７】
【図１】２本のローラが平行に揃った状態のローラマッサージ器の斜視図である。
【図２】図１の拡大底面図である。
【図３】ローラ取付軸ローラ連結部が回動することによりローラ間の角度が変化することを示す図であり、（ａ）はローラ間の角度が最小すなわち２本が平行に揃ったものを、（ｂ）は最大のものを示す。
【図４】ローラ取付部材の要部拡大図である。
【図５】ローラ連結部の要部拡大図である。
【図６】ローラ取付部材とローラ取付軸ローラ連結部の要部の断面図である。
【図７】ローラ連結部及びローラの分解斜視図である。
【図８】ローラ連結部が所定角度回動した状態のローラマッサージ器の斜視図である。
【図９】ローラ連結部が図８の状態よりさらに回動した状態のローラマッサージ器の斜視図である。
【図１０】ローラをそれぞれ異なる角度で回動した状態の正面図である。
【図１１】ローラの斜視図であり、図１１（ａ）は正六角柱状のもの、図１１（ｂ）は円筒形状の側面に突起を複数を取り付けたもの、図１１（ｃ）は円筒形状の側面に螺旋状溝を形成したもの、図１１（ｄ）は星形状のもの、図１１（ｅ）は八角形環を２２．５°ずつ回転させて複数個連結した形状のものである。
【図１２】さらに別の形状のローラの斜視図である。
【図１３】腕部とローラ取付板との螺合状態を示す要部の断面図である。
【図１４】別の実施形態によるローラ取付部材の要部拡大図である。
【発明を実施するための形態】
【０００８】
以下、本発明に係るローラマッサージ器の実施形態について図を参照して説明する。
図１は、ローラの先端部が最接近した状態のローラマッサージ器の斜視図である。
１はローラマッサージ器であり、その構成は以下のとおりである。
２はハンドルであり、縦長の楕円形状の板体であり、先端部に円柱状のローラ連結部３を取り付ける。このローラ連結部３の下端部にローラ取付部材４を取り付ける。そして、このローラ取付部材４の左右両端部に、ローラ連結部５，５の一端を回動自在に軸支する。そして、このローラ連結部５，５にローラ６，６を着脱自在に取り付ける。
さらに、ローラ取付部材４の中央部に下方に向け開口する球状体収容部材７を固定し、この球状体収容部材７に球状体７ａを回転自在に取り付ける。
【０００９】
ローラ取付部材４は、図２，３に示すとおり円柱状の部材を横にして両端を斜めに切断したものであり、平面視が上底が下底より長い等脚台形状である。
このローラ取付部材４の左右両端部に、図４に示すとおり穴９を形成し、この穴９に、放射状の溝１０ａ〜１０ｃを形成した溝付き環状部材８を取り付ける。また、この穴９の開口縁部に内側に向け突出したフランジ１１を形成すると共に、フランジ１１の所定部に、溝付き環状部材８の回り止め用凸部が嵌合する角孔１１ａを形成する。
【００１０】
ローラ連結部５は、図５〜７に示すとおり、円柱状の腕部１２の先端に半球状部材１３を横向きにして取り付けたものである。この半球状部材１３は、その平面部１４を腕部１２より離れた部分ほど低く、近い部分ほど高くなるよう、腕部１２の中心軸より傾斜させ形成する。そして、この平面部１４の中央部に断面楕円形状の回転軸１５を、平面部１４に周縁部の近傍に凸部２０を、それぞれ固定して取り付ける。
１６は円環状部材であり、中央に楕円形状孔１７を、表面に突条１８を有する。
そして、回転軸１５には平面部１４側からバネ１９、円環状部材１６を挿通し、円環状部材１６をバネ１９により溝付き環状部材８に向けて付勢する。円環状部材１６は、楕円形状孔１７に断面楕円形状の回転軸１５が嵌り回転が阻止される。
回転軸１５を上記穴９を経てローラ取付部材４内に挿通し、Ｅリング２９を回転軸１５の溝２９aに嵌合して抜け止めとし、回転軸１５をローラ取付部材４に対し回動自在に取付ける。（図６）。
円環状部材１６の突条１８を、溝付き環状部材８の溝１０ａ〜１０ｃのいずれかと嵌合することによりローラ６が所定位置に固定される。ローラ６を別の角度に変更する場合には、ローラ連結部５をバネ１９より強い力で回動し、突条１８を別の溝１０ａ〜１０ｃに向け移動させて嵌合する。
凸部２０は、フランジ１１の端面１１ｂ，１１ｃに当って、ローラ連結部５の回動範囲を規制する。
【００１１】
ローラ６は、図１，７に示すとおり、上面から底面に亘り貫通孔２１が形成された、正八角柱状の管である。
ローラ６の材質は特に限定しないが、少なくとも外周部分をアルミニウム、ステンレスなどの錆びにくい金属製にする。
２２，２２はローラ取付環であり、ローラ６の両側から貫通孔２１に挿入し固定する。
そして、この状態で中央の孔２２aに腕部１２を回転自在に挿通することにより、ローラ６がローラ連結部５に着脱自在に取り付けられる。
ローラ取付環２２は、滑りがよく軸受として使用されているプラスチック製であればよく、ポリアセタールなどで製造する。
２３はローラ取付板であり、中央部に設けたネジ部２３ａを腕部１２の先端部に設けたねじ穴１２ａに螺合し、ローラ６の先端部側に取り付けたローラ固定環２２の孔を塞ぐと共に、ローラ６が腕部１２より抜け落ちないようにする（図１３参照）。
２９は、貫通孔２１内部に取付けたローラ取付環固定用突起であり、ローラ取付環２２を貫通孔２１内の所定位置に固定するためのものである。
なお、上記材質を特定しているもの以外は、バネ１９がステンレス製であることを除きプラスチック製である。
【００１２】
以上のようにしてなるローラマッサージ器１は、図１に示すように、左右のローラ６，６がそれぞれハンドル２に一番近い状態で両者の先端部が最も接近する。そして、図３，８，９に示すようにローラ６，６の先端部をそれぞれハンドル２から離れるように回動させるに伴い、ローラ６，６の先端部間が離間する。
【００１３】
ローラ連結部５は、突条１８，１８が溝１０ａ〜１０ｃのいずれかと嵌合することにより固定される。フランジ１１ｂと凸部２０との衝突、その後のフランジ１１ｃと凸部２０との衝突の作用も相俟って、突条１８はローラが揃った状態の溝１０ａから溝１０ｃ、溝１０ｂへと順に嵌合する。
左右ローラ連結部５の突条１８をそれぞれ溝１０aに嵌合すると、左右のローラ６がそれぞれハンドル２の下方に２本揃った状態で並ぶ（図１）。コンパクトで収容に便利である。
また、この状態で、腹、背中、頬などの平面状の部位に接触し、ハンドル２を握りローラ６，６を回転させると、ローラ６，６の角部によりツボが押され、その後ローラ６，６の平坦部に移動する際に軽い打撃が身体の所定部位に付与されるマッサージ（タッピング）が行われる。
【００１４】
左右ローラ連結部５，５の突条１８，１８がそれぞれ溝１０ｃに嵌合すると、図８に示す左右のローラ６，６がそれぞれ上記ハンドル２の直下の状態より約１３５°回動した状態になり、左右のローラ６，６の間が所定角度拡開する。この状態で、腕、足首、顎、首などの細い曲面状の部位に接触し、ハンドル２を握りローラ６，６を回転させると、前記ツボ押し、タッピングに加え、以下のマッサージ効果が加わる。
ローラ６，６は、所定角度拡開した状態（ハ字状）で、身体の所定部位に接触させハンドルを握り引く方向に移動させると、ローラ６と球状体７ａとの間の皮膚に中央に向けつまみ込む運動が加わる。逆に、押す方向に移動させると、ローラ６と球状体７ａとの間の皮膚にローラ側に向け押し広げる運動が加わる。
【００１５】
左右ローラ連結部５，５の突条１８，１８がそれぞれ溝１０ｂに嵌合すると、図９に示す左右のローラ６，６がそれぞれ上記ハンドル２の直下の状態より約１６０°回動した状態になり、左右のローラ６，６間が所定角度（上記約１３５°回動した状態より大）拡開する。この状態で、わき腹、太もも、ふくらはぎなどの太い曲面状の部位に接触し、ハンドル２を握りローラ６，６を回転させると、上記約１３５°回動したと同様のマッサージ効果（皮膚をつまみ込む運動や皮膚を押し広げる運動）が加わる。
【００１６】
本発明では、ローラ取付部材４の中央部に球状体７ａが取り付けられローラ６，６の基部同士が離間すると共に、ローラ６，６と球状体７ａとの間の隙間３０が２箇所できる。
ローラ６の回転に伴い、この隙間３０内で皮膚をつまみ込む運動や皮膚を押し広げる運動が発生する。隙間が１箇所のものと比較し、広範囲のマッサージができる。
また、ローラマッサージ器１は、耐錆性の金属またはプラスチックで製造するので、錆びる部分がなく、浴槽内などの水に濡れる場所での使用が可能である。
【００１７】
上記実施形態では、左右のローラ６，６をそれぞれ同じ角度回動させたが、別々の角度で回動させることもできる（図１０）。ローラ６，６間の距離が変わるので、マッサージする身体部位に応じて任意に選択することができる。
【００１８】
また、上記実施形態では、ローラ６，６は、正八角柱状であるが、図１１，１２に示すとおりの各種形状のローラに交換可能である。
ローラ６の交換は、ローラ取付板２３を外し、次にローラ６をローラ連結部５から外したのち、所望のローラ６をローラ連結部５に取り付け、ネジ部２３ａを腕部１２のねじ穴に螺合してローラ取付板２３を固定して行う。
図１１（ａ）に示す正六角柱状のものは、正八角柱状より角部と平面部との段差が大きく、強いタッピング効果が得られる。
図１１（ｂ）に示す円筒形状の側面（皮膚接触面）に突起２４を複数を取り付けたものは、ローラ６の回転と共に突起２４がツボを押すマッサージを行う。
図１１（ｃ）に示す円筒形状の側面（皮膚接触面）に螺旋状溝２５を形成したものは、ローラ６の回転と共に螺旋状溝２５が皮膚を軽く捩るマッサージを行う。
図１１（ｄ）に示す上面及び底面が星形状のものは、角部が鋭角になりツボ押しの効果が向上する。
図１１（ｅ）に示す八角形環を２２．５°ずつ回転させて複数個連結した形状のものは、正八角柱状のものより軽いツボ押し及びタッピングの効果が得られる。
【００１９】
図１２は、さらに別の実施形態のローラ６の斜視図である。八角形環を２２．５°ずつ回転させて３以上の奇数個連結すると共に、両端部の八角形環平面部に該当する部分を一つおきに平坦にした形状である。この平坦部２６に、ゲルマニウムを含有する板材２７、プラチナを含有する板材２８を固着する。
ゲルマニウムを含有する板材２７とプラチナを含有する板材２８は、平坦部２６に１枚ずつ交互に固着する。あるいは、各平坦部２６に２枚並べて固着してもよい。
ローラ６によるツボ押し及びタッピングの効果に、ゲルマニウム、プラチナの持つ美肌効果が付加される。
なお、ゲルマニウム又はプラチナを含有する板材に代え、美肌効果が期待できるチタンなどの他の素材からなる板材を固着しても良い。
【００２０】
次に別の実施形態について説明する。
この実施形態では、図１４に示すように、溝付き環状部材８の放射状の溝１０ｄ，１０ｅを２条にした点が、上記実施形態との大きな違いである。
左右のローラ６，６がそれぞれハンドル２の下方に２本揃った状態（図１）、左右のローラ６，６の先端がハンドル２の前方に突出しハ字状となる状態（図８）、左右のローラ６，６のいずれか一方が回動してハンドル２の下方にないＬ字状状態（図１０）に変形可能である。
上記実施形態に比べ、ローラ連結部５が固定される位置が少ないが、トリートメントの際にハンドル２を握り皮膚に押圧する方向に力が加わっても、ローラ連結部５の突条１８がこの壁にぶつかる方向に押圧されるので、隣接の溝に移動しない。よって、適切な方法で使用している際にローラ連結部５が別の位置に移動することがなく、安定した状態でマッサージを継続できる。
【００２１】
以上の各実施形態では、ローラ取付部材４の中央部に球状体７ａを取り付けているが、これに限るものではなく、球状体７ａがなくてもよい。
ただし、球状体７ａを取り付けることにより、球状体７ａによるツボ押し効果が加わる。さらに、ローラ６との隙間でつまみ込む運動、押し広げる運動が発生し、広範囲のマッサージができる。
また、ローラ６を角度変更自在に連結すると共に、複数の角度で固定可能にする構成は、上記実施形態に限られるものでなく、公知の各種構造でもよい。例えば、ローラ６を回動自在に片持ち支持し、ボールプランジャを使用してゆるめると回動自在になり、締めると所定角度で固定される構成にしてもよい。ただし、上記の実施形態の構成にすると、工具無しでローラ６の角度変更ができ便利である。
また、前記ローラ６は、正多角柱状又は円柱状であればよい。ただし、角の数が少ないと円滑に回転せず、角の数が多すぎるとタッピングの効果が弱くなる。正六角柱状又は正八角柱状が最適である。
また、溝付き環状部材８の放射状の溝は、前記各実施形態に記載した２条又は３条に限るものではなく、４条以上であってもよいが、製造の容易さ、ローラ６がマッサージ中に簡単に移動しないという点からは２条が好適である。
【符号の説明】
【００２２】
１    ローラマッサージ器
２    ハンドル
３    ローラ連結部
４    ローラ取付部材
５    ローラ連結部
６    ローラ
７    球状体収容部材
７ａ  球状体
１５  回転軸
【図１】
2011120893.tif 000003
【図２】
2011120893.tif 000004
【図３】
2011120893.tif 000005
【図４】
2011120893.tif 000006
【図５】
2011120893.tif 000007
【図６】
2011120893.tif 000008
【図７】
2011120893.tif 000009
【図８】
2011120893.tif 000010
【図９】
2011120893.tif 000011
【図１０】
2011120893.tif 000012
【図１１】
2011120893.tif 000013
【図１２】
2011120893.tif 000014
【図１３】
2011120893.tif 000015
【図１４】
2011120893.tif 000016